(57)【特許請求の範囲】
【請求項１】
本体ユニットと、本体ユニットの下部に取り付けられる化粧パネルからなり、同化粧パネル中央が開口された吸込口に着脱自在に取り付けられる吸込グリルを備えた天井埋込型空気調和機において、
前記吸込グリルは、枠状の周縁部と、周縁部の枠内の開口部と、前記周縁部の前記開口部側に立設された開口側壁と、前記開口部内で前記周縁部の前面と面一に配置された複数の装飾板と、前記開口部内で前記装飾板よりも背面側に配置され前記開口側壁の対面を橋渡しする連結リブと、同連結リブから垂下して前記装飾板を連結する垂下リブとからなることを特徴とする天井埋込型空気調和機。
【請求項２】
前記吸込グリルは、少なくとも前記周縁部と前記装飾板の前面側が明色で、前記連結リブと前記垂下リブが暗色に構成されることを特徴とする請求項１に記載の天井埋込型空気調和機。
【請求項３】
少なくとも前記装飾板の一部に光源を備えたことを特徴とする請求項１または請求項２に記載の天井埋込型空気調和機。
【発明の詳細な説明】
【技術分野】
【０００１】
本発明は、天井埋込型空気調和機に関するもので、特に吸込グリルの形状に関するものである。
【背景技術】
【０００２】
天井埋込型空気調和機は、主にビル内の空調に使用され、広い事務所等では、天井に複数台が均等に配置されて設置される。そこで、例えば図８に示す従来例の天井埋込型空気調和機１００のように、被空調室の空気を吸い込む吸込グリル１１０は、中央に略四角形の吸込開口孔１２０を複数個均等に設けることで、天井埋込型空気調和機をどの方向に向けて設置しても、同じ形態に見えることになり、意匠性を向上させ、さらに複数台を天井に取り付けても、統一感のある配置となるものがある。（例えば、特許文献１参照）
【０００３】
吸込グリルの開口の形状は吸込効率と密接な関係がある。吸込グリルの通風抵抗を低減させることで、吸込風量が多くなり、流速が低減され、結果として騒音が低減される効果が期待できる。
しかし、従来例のように、吸込グリル１１０に吸込開口孔１２０を設けるものでは、吸込開口孔１２０以外の部分が格子状の桟１３０として形成されるため開口面積が少なくなり、また吸い込まれた空気が桟１３０に当たることで通風抵抗が高くなる。このため、流速が速くなり、結果として騒音が発生することになる。
【先行技術文献】
【特許文献】
【０００４】
【特許文献１】登録意匠第１１１０９１１号公報
【発明の概要】
【発明が解決しようとする課題】
【０００５】
本発明の課題は、上記問題点に鑑み、複数台を天井に取り付けても、統一感のある意匠性を備え、さらに、吸込効率も向上する吸込グリルを備えた天井埋込型空気調和機を提供する。
【課題を解決するための手段】
【０００６】
本体ユニットと、本体ユニットの下部に取り付けられる化粧パネルからなり、同化粧パネル中央が開口された吸込口に着脱自在に取り付けられる吸込グリルを備えた天井埋込型空気調和機において、
前記吸込グリルは、枠状の周縁部と、周縁部の枠内の開口部と、前記周縁部の前記開口部側に立設された開口側壁と、前記開口部内で前記周縁部の前面と面一に配置された複数の装飾板と、前記開口部内で前記装飾板よりも背面側に配置され前記開口側壁の対面を橋渡しする連結リブと、同連結リブから垂下して前記装飾板を連結する垂下リブとからなることを特徴とする。
【０００７】
前記吸込グリルは、少なくとも前記周縁部と前記装飾板の前面側が明色で、前記連結リブと前記垂下リブが暗色に構成されることも特徴とする。
【０００８】
少なくとも前記装飾板の一部に光源を備えたことも特徴とする。
【発明の効果】
【０００９】
本発明の効果は、吸込グリルを枠状の周縁部と、周縁部の中の開口部と、前記周縁部の前記開口部側に立設された開口側壁と、前記開口部内で前記周縁部の前面と面一に配置された複数の装飾板と、前記開口部内で前記装飾板よりも背面側に配置され前記開口側壁の対面を橋渡しする連結リブと、同連結リブから垂下して前記装飾板を支える垂下リブとからなる構成としたことで、装飾板の間を通過した空気は、一端、垂下リブの位置で広く広がり、その後に連結リブの間を通過することになり、通風抵抗が少なくなり、吸込効率が向上する。
【００１０】
また、前記吸込グリルは、少なくとも前記周縁部と前記装飾板の前面側が明色で、前記連結リブと前記垂下リブが暗色に構成することで、天井に取り付けた天井埋込型空気調和機を被空調室からユーザーが見上げた場合には、開口部を通過して視認できる本体ユニット内は暗色に見えることから、開口部内の連結リブと垂下リブは本体ユニット内部に溶け込み存在感を感じさせないものとなり装飾板だけが視認される。装飾板は暗色の中に白く浮かび上がっているように見え、スッキリとした斬新なデザインになり、複数台を天井に取り付けても、統一感のある意匠性を備えるものとなる。
【００１１】
さらに、少なくとも前記装飾板の一部に光源を備えることで、光源から発光された光が背景の暗色の中に浮かび上がって発光して視認されることで、表示部として見やすく分かりやすい表示が可能となる。
【図面の簡単な説明】
【００１２】
【図１】本発明による天井埋込型空気調和機の部分断面図である。
【図２】本発明による天井埋込型空気調和機の外観斜視図である。
【図３】本発明による天井埋込型空気調和機の吸込グリル正面図である。
【図４】本発明による天井埋込型空気調和機の吸込グリルを背面から見た斜視図である。
【図５】図４のＹ部拡大図である。
【図６】図２のＸ部拡大図である。
【図７】本発明による天井埋込型空気調和機の他の吸込グリル正面図である。
【図８】従来例による天井埋込型空気調和機の正面図である。
【発明を実施するための形態】
【００１３】
以下、本発明の実施の形態を、添付図面に基づいた実施例として詳細に説明する。
【実施例１】
【００１４】
天井埋込型空気調和機は、主にビル内の空調に使用され、ホテルや事務所等の広い被空調室の天井に複数台が均等に設置されて使用される。
本発明による天井埋込型空気調和機１は、図１および図２に示すように、本体ユニット１０と、本体ユニット１０の下部に取り付けられた化粧パネル２０とで構成されている。
【００１５】
本体ユニット１０は、鋼板で下面を開口する多角形状に形成された外胴１１と、外胴１１内の中央に配置されるファンモータ１２と、ファンモータ１２により回転するターボファン１３と、ターボファン１３の下方のベルマウス１４と、ターボファン１３の周囲を囲む熱交換器１５と、熱交換器１５のドレン水を受けるドレンパン１６と、熱交換器１５と外胴１１の間に形成される通風路１７とからなる。
【００１６】
化粧パネル２０は、前面視で略正方形状に形成され、ベルマウス１４の開口に合わせ中央を開口させて形成される吸込口２１と、吸込口２１に取り付けられた吸込グリル３０と、吸込グリル３０の裏面に装着されるフィルタ４０と、通風路１７と連続して正方形状の各辺に対称に設けられた吹出口２２と吹出口２２内に設けられた風向板２３とからなる。
【００１７】
上記の構成により天井埋込型空気調和機１を設置した被空調室の空気は、ファンモータ１２により回転するターボファン１３で吸い込まれ、吸込口２１内の吸込グリル３０を通過しフィルタ４０で塵埃を除去され、ベルマウス１４でターボファン１３まで導かれ、ターボファン１３の周囲を囲んだ熱交換器１５に送出され、熱交換器１５を通過することで熱交換され、本体ユニット１０の通風路１７を通って、化粧パネル２０の吹出口２２から風向板２３で風向偏向されて室内へと送風される。
【００１８】
吸込グリル３０は、フィルタ４０の清掃や本体ユニット１０のメンテナンスのために取り外すため、化粧パネル２０の吸込口２１に図示しない係止機構で着脱自在に係止される。また、ワイヤーで所定の位置まで降下する吊下機構を備えても良い。
【００１９】
吸込グリル３０は、図１、図３ないし図６に示すように、樹脂で矩形に成形され、枠状の周縁部３２と、周縁部３２の枠内でベルマウス１４に対応した開口部３１を有しており、周縁部３２の開口部側に立設された開口側壁３２ａと、周縁部３２の外側に立設され化粧パネル２０に当接する外側壁３２ｂと、開口部３１内で周縁部３２の前面と面一に配置された複数の装飾板３３と、開口部３１内で装飾板３３よりも背面側に配置され開口側壁３２ａの対面を橋渡しする連結リブ３４と、同連結リブ３４から垂下して装飾板３３を支える垂下リブ３５とからなる。
【００２０】
装飾板３３は、平板状または少なくとも前面側が平滑面であり、図３では全て同一の大きさで円形に形成され、縦横ともに同間隔で均等に配置されている。
吸込グリル３０は被空調室から空気を取り込むとともに、本体ユニット１０内へ異物の侵入を防ぐものである。開口部３１内で装飾板３５が配置されていない部分が空気取込口３６となる。空気取込口３６の面積が大きいほど通風抵抗が少なく吸込効率が向上するが、一方では侵入する指や異物をファンモータ１２やターボファン１３の手前で防ぐ必要があることから、隣合う装飾板３３と装飾板３３の隙間は、試験指６０が入ったとしてもターボファン１３までは届かないように間隔Ａを保って配置される。図３の場合は直径１２ｍｍを想定している。
また、装飾板３３が間隔Ａを保って配置されたとしても、装飾板３３の直径が大きい場合は、空気取込口３０の面積が小さくなる。そこで、間隔Ａと装飾板３３の直径ＢはＡ＞Ｂが望ましい。
【００２１】
図３では、装飾板３３の形状を円形としたが、これに限らず、図７の装飾板３３１のように四角形でも良く、菱形でも星型でも良く形状は問わない。また、大きさも図７のように開口面積を有しながら中心から周縁部３２に向かって徐々に変化しても良く、吸込グリル３０を９０度回転させても同一形状に見える形状、配置であれば良い。
【００２２】
連結リブ３４は、装飾板３３を開口側壁３２ａに連結するものであり連結リブ３４の少なくとも一部が対面の開口側壁３２ａを連結する。また、連結リブ３４は空気抵抗を少なくするため厚み３４ａを薄くした薄板状に成形される。連結リブ３４の配置は、装飾板３３の配置に揃えるが、必ずしも装飾板３３を連結リブ３４と連結リブ３４の交差する部分に合わせて配置する必要はなく、図３のように装飾板３３が縦横均等に配置された場合は、縦か横のいずれか一方の本数を装飾板３３の列の数に合わせ、もう一方の本数は補強する程度の本数としても良い。
また、図７のように対角線を構成する連結リブ３４１と、連結リブ３４１と連結リブ３４１の間をそれぞれ連結する連結リブ３４２を配置する構成としても良い。
【００２３】
垂下リブ３５は、連結リブ３４から垂下して装飾板３３と連結するものであり、空気抵抗を少なくするため連結リブ３４と同等の厚み３４ａとして連結リブ３４から垂下し、垂下した先端が装飾板３３と連結される。垂下リブ３５は金型において吸込グリル３０を上下方向に抜けるように装飾板３３との結合部分と同幅３５ａまたはそれ以上の幅を有する。
【００２４】
上記の吸込グリル３０の構成により、装飾板３５の間の空気取込口３６を通過した空気は、一旦、垂下リブ３４の位置で広く広がり、その後に連結リブ３４の間を通過することになる。これにより、従来例のように格子状桟の間の小さい孔を一気に空気が通過するものに比べ、空気が装飾板３３の間→垂下リブ３４の間→連結リブ３４の間と徐々に緩やかに通過することで、通風抵抗が少なくなり、風速が上がらずに、吸込効率が向上する。
【００２５】
吸込グリル３０は、図６に示すように、周縁部３２と装飾板３３の前面側が明色（例えば白色）であり、連結リブ３４と垂下リブ３５が暗色（例えば黒色）に構成される。
これにより、天井に取り付けた天井埋込型空気調和機１を被空調室からユーザーが見上げた場合には、図２のように開口部３１を通過して視認できるフィルタ４０や本体ユニット１０内は暗色に見えることから、開口部３１内の連結リブ３４と垂下リブ３５は本体ユニット１０内部に溶け込み存在感を感じさせないものとなり装飾板３３だけが視認される。装飾板３３は暗色の中に白く浮かび上がっているように見え、スッキリとした斬新なデザインとなる。
【００２６】
周縁部３２と装飾板３３の前面側が明色で、連結リブ３４と垂下リブ３５が暗色になる加工には、例えば、吸込グリル３０全体を暗色にて成形し、表面に明色のホットスタンプを加工する方法でもよい。この場合は、周縁部３２と装飾板３３の前面側が明色で、連結リブ３４と垂下リブ３５と開口側壁３２ａと外側壁３２ｂとが暗色となる。
【００２７】
また、周縁部３２と装飾板３３が明色で、連結リブ３４と垂下リブ３５が暗色とする２色成形で成形してもよい。この場合は、周縁部３２と装飾板３３が明色で、連結リブ３４と垂下リブ３５と開口側壁３２ａと外側壁３２ｂとが暗色となる。
【００２８】
さらに、吸込グリル３０全体を明色で成形し、前面側をマスキングした後に、暗色の塗料を吹き付ける方法もある。この場合は、周縁部３２と装飾板３３と外側壁３２ｂとが明色で、連結リブ３４と垂下リブ３５と開口側壁３２ａとが暗色となる。
【実施例２】
【００２９】
周縁部３２と装飾板３３の前面側が明色で、連結リブ３４と垂下リブ３５が暗色になる加工の別な方法としては、吸込グリル３０は、明色の樹脂成形による周縁部３２と、連結リブ３４と、垂下リブ３５と、開口側壁３２ａと外側壁３２ｂからなり、周縁部３２と外側壁３２ｂをマスキングして連結リブ３４と垂下リブ３５を暗色で塗装する。その後、明色の装飾板３３を個別に垂下リブ３５にそれぞれ取り付ける方法でも良い。この場合は、垂下リブ３５は装飾板３３と同幅ではなく、装飾板３３を支えられる軸状であれば良く、空気が通過する開口部３１の通風抵抗がさらに軽減され、吸込効率が向上することになる。
【実施例３】
【００３０】
吸込グリル３０には、図３に示すように、少なくとも装飾板３３の一部に光源を備える。光源はＬＥＤ５０が良く、装飾板３３の一枚に１つのＬＥＤ５０となるように配置する。ＬＥＤ５０はどの装飾板３３に配置しても良いが、角部にある装飾板３３の場合はＬＥＤ５０と本体ユニット１０を繋ぐリード線が周縁部３２に這わせやすく、また、周縁部３２の前面に設ける表示用印刷部３７とも近接するため分かりやすくなる。
装飾板３３の背面側は暗色となるように構成されているため、装飾板３３に設けたＬＥＤ５０は背景が暗色となり、1つ1つが暗色の中に浮かび上がって発光して視認されることで、表示部として見やすく分かりやすい表示が可能となる。
【符号の説明】
【００３１】
１  ：天井埋込型空気調和機
１０：本体ユニット
１２：ファンモータ
１３：ターボファン
１４：ベルマウス
２０：化粧パネル
２１：吸込口
３０：吸込グリル
３１：開口部
３２：周縁部
３３、３３１：装飾板
３４、３４１、３４２：連結リブ
３５：垂下リブ
３６：空気取込口
３７：表示用印刷部
４０：フィルタ
５０：ＬＥＤ
【図１】
0005880163.tif 000002
【図２】
0005880163.tif 000003
【図３】
0005880163.tif 000004
【図４】
0005880163.tif 000005
【図５】
0005880163.tif 000006
【図６】
0005880163.tif 000007
【図７】
0005880163.tif 000008
【図８】
0005880163.tif 000009